(57)【要約】【課題】上水道メーターボックスに関する情報と、情報を送受信するサーバに接続するアドレスとを迅速に取得することができるＩＣタグ付き上水道メーターボックスを提供する。【解決手段】開口部２ａを有する上水道メーターボックス本体２と、開口部２ａに開閉自在に設けられる蓋体３とから成る上水道メーターボックスであって、蓋体３の内側にＩＣタグ４が設けられ、ＩＣタグ４内には少なくとも上水道メーターボックス番号と、上水道メーターボックスに関する情報の送受信を行なうためのサーバのＵＲＬとが格納されるＩＣタグ付き上水道メーターボックス１を提供する。ＩＣタグ４内には、更に、上水道メーターボックス本体２内に設置される上水道メーターの仕様、上水道メーターの測定値、上水道メーターに接続される配管の管種、配管の口径、配管の施工年度、配管の更新年度、上水道メーターボックスに接続されるマンホール番号等が格納される。【選択図】図１
0003137442.tif 000002
【実用新案登録請求の範囲】
【請求項１】
開口部を有する上水道メーターボックス本体と、前記開口部に開閉自在に設けられる蓋体とから成る上水道メーターボックスであって、前記蓋体の内側にＩＣタグが設けられ、前記ＩＣタグ内には少なくとも上水道メーターボックス番号と、前記上水道メーターボックスに関する情報の送受信を行なうためのサーバのＵＲＬとが格納されることを特徴とするＩＣタグ付き上水道メーターボックス。
【請求項２】
前記ＩＣタグ内には、更に、前記上水道メーターボックス本体内に設置される上水道メーターの仕様、上水道メーターの測定値、上水道メーターに接続される配管の管種、配管の口径、配管の施工年度、配管の更新年度のうち少なくとも１つが格納されることを特徴とする請求項１記載のＩＣタグ付き上水道メーターボックス。
【請求項３】
前記ＩＣタグ内には、更に、前記上水道メーターボックス本体に接続されるマンホール番号が格納されることを特徴とする請求項１又は２記載のＩＣタグ付き上水道メーターボックス。
【請求項４】
前記蓋体の内側に凹部が形成され、前記ＩＣタグのＩＣタグ表面を露出させた状態で前記凹部内に前記ＩＣタグが嵌装されることを特徴とする請求項１乃至３のうちいずれか一に記載のＩＣタグ付き上水道メーターボックス。
【請求項５】
マンホールの地表面開口部に設置されるマンホール蓋であって、前記マンホール蓋の表面部にＩＣタグが設けられ、前記ＩＣタグ内には少なくともマンホール番号と、前記マンホールに関する情報の送受信を行なうためのサーバのＵＲＬとが格納されることを特徴とするＩＣタグ付きマンホール蓋。
【請求項６】
前記ＩＣタグ内には、更に、マンホール位置、マンホールの種類、マンホール内に配置される配管の管番号、マンホールからの水平方向の離間寸法、埋設深さ、配管の管種、配管の口径、隣接するマンホールまでの長さ、施工年度、更新年度、弁栓の仕様、使用条件、管理者情報、管理情報のうち少なくとも１つが格納されることを特徴とする請求項５記載のＩＣタグ付きマンホール蓋。
【請求項７】
前記ＩＣタグ内には、更に、前記マンホールに配管を介して接続される上水道メーターボックス番号が格納されることを特徴とする請求項５又は６記載のＩＣタグ付きマンホール蓋。
【請求項８】
前記ＩＣタグ内には、更に、前記マンホールに配管を介して接続される隣接するマンホールのマンホール番号が格納されることを特徴とする請求項５乃至７のうちいずれか一に記載のＩＣタグ付きマンホール蓋。
【考案の詳細な説明】
【技術分野】
【０００１】
本考案は、上水道メーターボックスに関する情報と、情報を送受信するサーバに接続するアドレスとを迅速に取得することができるＩＣタグ付き上水道メーターボックス、及び、マンホールに関する情報と、情報を送受信するサーバに接続するアドレスとを迅速に取得することができるＩＣタグ付きマンホール蓋に関する。
【背景技術】
【０００２】
従来、上水道メーターボックスの検針は、検針者が現場で上水道メーター番号等を確認してハンディターミナルに入力した後、上水道メーターのメーター値を確認して、その検針結果をハンディターミナルに入力している。そして、検針結果を格納したハンディターミナルは、検針者によって事務所等に搬送された後、ハンディターミナル内の検針データが事務所のサーバ等にアップロードされる。
【０００３】
上水道メーターボックスの先行文献としては、例えば、特許文献１がある。特許文献１には、水道メーターが狭い空間に配置され、その周辺にガス配管などの障害物が設置してあるような場合でも、蓋本体を確実に開放操作できる水道メータの蓋構造が記載されている。
【０００４】
一方、マンホール蓋は、マンホール内の弁栓、配管、配線、その他の機器等の設置、補修、点検時等に開かれるが、設置、補修、点検等の作業時に、マンホール番号が確認され、マンホール番号や作業内容が、例えば、所定のハンディターミナルに入力される。ハンディターミナルのデータは、ハンディターミナルと共に搬送された後、サーバ等にアップロードされる。
【０００５】
マンホール蓋の先行文献として、例えば、特許文献２がある。特許文献２には、マンホール鉄蓋に開けた貫通穴の内部に電磁誘導型のワイヤレスＩＣタグを設置することが記載されている。
【特許文献１】特開２００６−５８２０８号公報
【特許文献２】特開平０９−３３１２７９号公報
【考案の開示】
【考案が解決しようとする課題】
【０００６】
前述したように、上水道メーターの検針結果は検針者によってハンディターミナルに入力され、ハンディターミナルは検針者によって事務所に搬送された後、ハンディターミナルの検針データが事務所のサーバ等にアップロードされる。
検針者が、上水道メーターボックスの検針結果をハンディターミナルに入力する場合、その都度、上水道メーターボックスの上水道メーター番号等を確認し、その上水道メーター番号等をハンディターミナルに入力する作業が伴う。
【０００７】
この作業は、検針する上水道メーターボックス毎に行なうため煩雑な作業であり、作業効率を悪化させ、或いは、誤入力を起こす虞があるという問題がある。
又、ハンディターミナルは検針者によって事務所に搬送された後、検針データを事務所のサーバ等にアップロードするため、検針データをアップロードするまでに時間がかかり、作業効率が悪いという問題がある。
更に、従来のハンディターミナルに於いては、現場毎の上水道メーターボックスの情報を得ることはできない。
特許文献１は、前記上水道メーターボックスに関する問題を解決するものではない。
【０００８】
又、マンホール蓋についても作業結果をハンディターミナルに入力する場合、その都度、マンホール番号を確認し、マンホール番号をハンディターミナルに入力する作業が伴う。
【０００９】
この作業は、作業するマンホール毎に行なうため煩雑な作業であり、作業効率を悪化させ、或いは、誤入力を起こす虞があるという問題がある。
又、ハンディターミナルのデータは、ハンディターミナルと共に搬送された後、サーバ等にアップロードされるため、データをアップロードするまでに時間がかかり、作業効率が悪いという問題がある。
更に、従来のハンディターミナルに於いては、現場毎のマンホールの情報を得ることはできない。
特許文献２は、前記マンホール蓋に関する問題を解決するものではない。
【００１０】
以上の現状に鑑み、本考案は、上水道メーターボックスに関する情報と、情報を送受信するサーバに接続するアドレスとを迅速に取得することができるＩＣタグ付き上水道メーターボックス、及び、マンホールに関する情報と、情報を送受信するサーバに接続するアドレスとを迅速に取得することができるＩＣタグ付きマンホール蓋を提供することを目的とする。
【課題を解決するための手段】
【００１１】
上記の課題を解決すべく、本考案は以下の構成を提供する。
請求項１に係る考案は、開口部を有する上水道メーターボックス本体と、前記開口部に開閉自在に設けられる蓋体とから成る上水道メーターボックスであって、前記蓋体の内側にＩＣタグが設けられ、前記ＩＣタグ内には少なくとも上水道メーターボックス番号と、前記上水道メーターボックスに関する情報の送受信を行なうためのサーバのＵＲＬとが格納されることを特徴とするＩＣタグ付き上水道メーターボックスを提供するものである。
【００１２】
請求項２に係る考案は、前記ＩＣタグ内には、更に、前記上水道メーターボックス本体内に設置される上水道メーターの仕様、上水道メーターの測定値、上水道メーターに接続される配管の管種、配管の口径、配管の施工年度、配管の更新年度のうち少なくとも１つが格納されることを特徴とする請求項１記載のＩＣタグ付き上水道メーターボックスを提供するものである。
【００１３】
請求項３に係る考案は、前記ＩＣタグ内には、更に、前記上水道メーターボックス本体に接続されるマンホール番号が格納されることを特徴とする請求項１又は２記載のＩＣタグ付き上水道メーターボックスを提供するものである。
【００１４】
請求項４に係る考案は、前記蓋体の内側に凹部が形成され、前記ＩＣタグのＩＣタグ表面を露出させた状態で前記凹部内に前記ＩＣタグが嵌装されることを特徴とする請求項１乃至３のうちいずれか一に記載のＩＣタグ付き上水道メーターボックスを提供するものである。
【００１５】
請求項５に係る考案は、マンホールの地表面開口部に設置されるマンホール蓋であって、前記マンホール蓋の表面部にＩＣタグが設けられ、前記ＩＣタグ内には少なくともマンホール番号と、前記マンホールに関する情報の送受信を行なうためのサーバのＵＲＬとが格納されることを特徴とするＩＣタグ付きマンホール蓋を提供するものである。
【００１６】
請求項６に係る考案は、前記ＩＣタグ内には、更に、マンホール位置、マンホールの種類、マンホール内に配置される配管の管番号、マンホールからの水平方向の離間寸法、埋設深さ、配管の管種、配管の口径、隣接するマンホールまでの長さ、施工年度、更新年度、弁栓の仕様、使用条件、管理者情報、管理情報のうち少なくとも１つが格納されることを特徴とする請求項５記載のＩＣタグ付きマンホール蓋を提供するものである。
【００１７】
請求項７に係る考案は、前記ＩＣタグ内には、更に、前記マンホールに配管を介して接続される上水道メーターボックス番号が格納されることを特徴とする請求項５又は６記載のＩＣタグ付きマンホール蓋を提供するものである。
【００１８】
請求項８に係る考案は、前記ＩＣタグ内には、更に、前記マンホールに配管を介して接続される隣接するマンホールのマンホール番号が格納されることを特徴とする請求項５乃至７のうちいずれか一に記載のＩＣタグ付きマンホール蓋を提供するものである。
【考案の効果】
【００１９】
請求項１記載の考案によれば、上水道メーターボックスに関する情報と、情報を送受信するサーバに接続するアドレスとを迅速に取得することができるＩＣタグ付き上水道メーターボックスを提供することができる。又、アドレスを介して、サーバから、上水道メーターボックスに関する情報を含む種々の情報を取得できると共に、上水道メーターボックスに関する情報をサーバに送信することができる。
更に、ＩＣタグは蓋体の内側に設けられるのでＩＣタグの破損の虞がなく、安全であり、且つ、蓋体を開けた時にＩＣタグも外側に露出するので、読み書きが容易である利点がある。
【００２０】
請求項２記載の考案によれば、請求項１記載の考案の効果に加え、上水道メーターボックス本体内に設置される上水道メーターの各種情報、及び、上水道メーターに接続される配管の情報をＩＣタグから取得することができる。
【００２１】
請求項３記載の考案によれば、請求項１又は２記載の考案の効果に加え、上水道メーターボックス本体に接続されるマンホールのマンホール番号をＩＣタグから取得することができる。そして、マンホール番号を取得することにより、サーバからマンホールに関する情報を容易に取得できる。
【００２２】
請求項４記載の考案によれば、請求項１乃至３のうちいずれか一に記載の考案の効果に加え、ＩＣタグを蓋の内側の凹部内で安全に保持することができる。
【００２３】
請求項５記載の考案によれば、マンホールに関する情報と、情報を送受信するサーバに接続するアドレスとを迅速に取得することができるＩＣタグ付きマンホールを提供することができる。又、アドレスを介して、サーバから、マンホールに関する情報を含む種々の情報を取得できると共に、サーバにマンホールに関する情報を送信することができる。
【００２４】
請求項６記載の考案によれば、請求項５記載の考案の効果に加え、マンホールの情報、マンホール内の配管、弁栓の各種情報、管理者情報、管理情報をＩＣタグから取得することができる。
【００２５】
請求項７記載の考案によれば、請求項５又は６記載の考案の効果に加え、マンホールに配管を介して接続される上水道メーターボックス番号を取得することができる。そして、上水道メーターボックス番号を取得することにより、上水道メーターボックスに関する情報を容易に取得できる。
【００２６】
請求項８記載の考案によれば、請求項５乃至７のうちいずれか一に記載の考案の効果に加え、マンホールに配管を介して接続される隣接するマンホールのマンホール番号を取得することができる。そして、マンホール番号を取得することにより、サーバから隣接するマンホールに関する情報を容易に取得できる。
【考案を実施するための最良の形態】
【００２７】
以下、実施例を示した図面を参照しつつ本考案の実施の形態を説明する。
図１（ａ）に於いて、１は、本考案によるＩＣタグ付き上水道メーターボックスであり、ＩＣタグ付き上水道メーターボックス１は、上端に開口部２ａを有する上水道メーターボックス本体２と、開口部２ａに開閉自在に設けられる蓋体３とから成る上水道メーターボックスであって、蓋体３の内側にＩＣタグ４が設けられている。
【００２８】
図に示す蓋体３は、上水道メーターボックス本体２から離反自在に設けられ、上水道メーターボックス本体２の開口部２ａ全周に及んで形成された段差部２ｂに載置して上水道メーターボックス本体２の開口部２ａを閉口するように構成されている。
又、蓋体３外周部には、上水道メーターボックス本体２の段差部２ｂに載置された蓋体３を開く時に検針者の指や工具を挿入して、蓋体３の開閉を容易にする切欠き３ａが形成されている。更に、蓋体３には、適宜、蓋体３の補強部及び上水道メーターボックスの蓋体３特有の装飾が施されている。
【００２９】
ＩＣタグ４は、図１（ｂ）及び（ｃ）に示すように、所定の厚みを有する例えば円筒形に形成され、蓋体３の比較的厚みのある部分の内側に形成された凹部５内に、ＩＣタグ表面４ａを露出させた状態で嵌装され、接着等により固着される。
【００３０】
ＩＣタグ４内には、図２に示すように、上水道メーターボックス番号１１、上水道メーターボックスに関する情報の送受信を行なうサーバにアクセスするためのアドレスであるＵＲＬ（Uniform Resource Locator）１２、上水道メーターボックス本体２内に設置される上水道メーターの仕様１３、上水道メーターの測定値１４、上水道メーターに接続される配管の管種１５、配管の口径１６、配管の施工年度１７、配管の更新年度１８、上水道メーターボックス本体２に接続されるマンホール番号１９が格納される。具体的には、少なくとも上水道メーターボックス番号１１と、ＵＲＬ１２とが格納され、更に、上水道メーターの仕様１３、上水道メーターの測定値１４、配管の管種１５、配管の口径１６、配管の施工年度１７、配管の更新年度１８、マンホール番号１９が適宜格納される。
【００３１】
而して、検針者による前記ＩＣタグ付き上水道メーターボックス１の利用方法について説明すると、検針者は、図３に示すように、携帯電話２１と、ブルーツース又は赤外線等を介して携帯電話２１とデータ通信ができる携帯電話型ＩＣタグリーダー２２とを携帯し、前記ＩＣタグ付き上水道メーターボックス１が設置された現場に到着すると、ＩＣタグ付き上水道メーターボックス１の蓋体３を開け、蓋体３の内側に設けられたＩＣタグ４に携帯電話型ＩＣタグリーダー２２を近づけてＩＣタグ４内のデータを携帯電話型ＩＣタグリーダー２２に読み込ませる。
【００３２】
そして、携帯電話型ＩＣタグリーダー２２が読み込んだデータを携帯電話型ＩＣタグリーダー２２から携帯電話２１に送信する。
携帯電話２１は携帯電話型ＩＣタグリーダー２２からデータを受信すると、そのデータの中のＵＲＬ１２を介して、図示省略のサーバのサイトにアクセスし、サーバのサイトから検針用画面をダウンロードする。
ダウンロードが終了すると携帯電話２１は検針用画面を表示し、検針用画面内に、上水道メーターボックス番号１１等の携帯電話型ＩＣタグリーダー２２から受信済みのデータを適宜表示すると共に、検針に関する入力欄を表示する。
入力欄には、例えば、検針月日、上水道メーターの測定値、検針者名等の入力欄があり、入力が終了すると、入力データを検針用画面を介してサーバに送信する。
サーバーは、データを受信すると、受信した上水道メーターの測定値と、データベースから抽出した前回の上水道メーターの測定値とにより料金計算を行なう等、必要なデータ処理を行なう。
【００３３】
又、携帯電話２１はサーバのサイトから保守・点検用画面をダウンロードすることもできる。
保守・点検用画面のダウンロードが終了すると、携帯電話２１は保守・点検用画面上で、携帯電話型ＩＣタグリーダー２２から受信したデータのうち、必要なデータを適宜表示すると共に、今回の保守・点検に関する入力欄を適宜表示する。
入力が終了すると、操作者の操作により、携帯電話２１は入力データを保守・点検用画面を介してサーバに送信する。
【００３４】
更に、携帯電話２１は携帯電話型ＩＣタグリーダー２２から受信したＵＲＬ１２を介して、サーバのサイトにアクセスし、上水道メーターボックスに関する更なる情報を取得することもできる。例えば、上水道メーターボックスの位置を含む地図情報、上水道メーターボックスを含む配管情報等を表示することができると共に、それらの拡大縮小表示や、画面スクロールも可能である。
更に又、上水道メーターボックス本体２に接続されるマンホールのマンホール番号１９をＩＣタグ４から取得することができるので、サーバからマンホールに関する情報を容易に取得することができる。
尚、前記携帯電話２１にＧＰＳ機能を備えることも可能であり、その場合に於いては、携帯電話２１のＧＰＳ機能によってＩＣタグ付き上水道メーターボックス１の位置情報を取得することができ、例えば、ＩＣタグ４内に位置情報が格納されていない場合に、上水道メーターボックス１の位置情報を確認することができると共に、その位置情報をサーバに送信することができる。又、ＩＣタグ４内に位置情報が格納されている場合でも、ＧＰＳ機能によってＩＣタグ付き上水道メーターボックス１の現在の位置情報を取得することにより、例えば、災害時のＩＣタグ付き上水道メーターボックス１の位置の変化等を迅速に取得でき、災害時の対策や、復旧のために役立てることができる。
【００３５】
図４は、図３に示した前記ＩＣタグ付き上水道メーターボックス１の利用方法に於ける携帯電話（図３に於いて２１）及び携帯電話型ＩＣタグリーダー（図３に於いて２２）に代えてＩＣタグリーダー内蔵携帯電話３１を用いるものである。ＩＣタグリーダー内蔵携帯電話３１は、携帯電話機内にＩＣタグリーダーの機能を内蔵し、即ち、携帯電話（図３に於いて２１）と携帯電話型ＩＣタグリーダー（図３に於いて２２）とを合わせた機能を有するものであり、図４に示すＩＣタグ付き上水道メーターボックス１の利用方法に於いても図３に示した前記ＩＣタグ付き上水道メーターボックス１の利用方法と同様の効果が期待でき、且つ、ＩＣタグリーダー内蔵携帯電話３１は、携帯電話（図３に於いて２１）と携帯電話型ＩＣタグリーダー（図３に於いて２２）とを組み合わせて用いる場合に比較して、携帯性、操作性で優れている。
【００３６】
又、図４に於いて２点鎖線で示すように、ＩＣタグリーダー内蔵携帯電話３１に代えて、ＩＣタグリーダー・ライター４１を用いることも可能である。ＩＣタグリーダー・ライター４１は、ＩＣタグの読み取り、書き込みが可能な通信機能を備えた装置であり、前記ＩＣタグリーダー内蔵携帯電話３１の機能に加えて、ＩＣタグ４への書き込みが可能である。
即ち、ＩＣタグリーダー・ライター４１を用いて、図２に示すＩＣタグ内データの更新が可能になる。従って、ＩＣタグリーダー・ライター４１を用いる場合は、ＩＣタグ４への上水道メーターの測定値も書き込みが可能であり、これにより、前回測定の上水道メーターの測定値が正しく書き込まれている場合、現場にて水道料金計算も迅速に行なうことができる。
【００３７】
図５に於いて、５１は、前記ＩＣタグ付き上水道メーターボックス{図１（ａ）に於いて１}と種類の異なるＩＣタグ付き上水道メーターボックスであり、ＩＣタグ付き上水道メーターボックス５１は、上端に開口部５２ａを有する上水道メーターボックス本体５２と、開口部５２ａに開閉部材５３を介して開閉自在に設けられる蓋体５４とから成り、蓋体５４の内側にＩＣタグ５５が設けられている。
【００３８】
前記ＩＣタグ５５は、蓋体５４の比較的厚みのある部分（蓋体５４が前記蓋体３と異なる形状であるため、この比較的厚みのある部分は、前記蓋体３と異なる部位である。）の内側に形成された凹部５５内に、ＩＣタグ表面５５ａを露出させた状態で接着等により取り付けられる。
前記ＩＣタグ付き上水道メーターボックス５１の利用方法も前記ＩＣタグ付き上水道メーターボックス１と同様であり、同様の効果が期待できる。
【００３９】
このように上水道メーターボックスは、種々の種類があるが、上水道メーターボックス本体の開口部に開閉自在の蓋体を設ける上水道メーターボックスであれば、本考案の適用が可能である。
【００４０】
図６に於いて、６１は、本考案によるＩＣタグ付きマンホール蓋であり、ＩＣタグ付きマンホール蓋６１は、マンホール６２の地表面開口部６３に設置されるマンホール蓋本体６４の表面部にＩＣタグ６５が設けられたものである。
【００４１】
ＩＣタグ６５は、例えば、マンホール蓋本体６４の表面部中央部に形成された穴６６内の底部に接着材６７を介して固着され、ＩＣタグ６５の側面及び上面を被包するように穴６６内に充填材６８が充填される。尚、前記穴６６は、マンホール蓋本体６４の表面部中央部に形成したが、その部位に限定されることなく、マンホール蓋本体６４の表面部の適宜箇所に形成されても良く、又、穴６６は１個に限定されることなく、複数個であっても良い。
ＩＣタグ４は、図に示すように、例えば、切頭円錐体に形成される。
【００４２】
ＩＣタグ６５内には、図７に示すように、マンホール番号７１、及び、マンホールに関する情報の送受信を行なうためのサーバのアドレスであるＵＲＬ７２、マンホール位置７３、マンホールの種類７４、マンホール内に配置される配管の管番号７５、マンホールからの水平方向の離間寸法７６、埋設深さ７７、配管の管種７８、配管の口径７９、隣接するマンホールまでの長さ８０、配管の施工年度８１、配管の更新年度８２、弁栓の仕様８３、使用条件８４、管理者情報８５、管理情報８６、マンホールに配管を介して接続される上水道メーターボックス番号８７、マンホールに配管を介して接続される隣接するマンホールのマンホール番号８８が格納されている。具体的には、少なくともマンホール番号７１と、ＵＲＬ７２とが格納されると共に、更に、マンホール位置７３、マンホールの種類７４、管番号７５、マンホールからの水平方向の離間寸法７６、埋設深さ７７、配管の管種７８、配管の口径７９、隣接するマンホールまでの長さ８０、施工年度８１、更新年度８２、弁栓の仕様８３、使用条件８４、管理者情報８５、管理情報８６、上水道メーターボックス番号８７、隣接するマンホールのマンホール番号８８が適宜格納されている。
【００４３】
而して、前記ＩＣタグ付きマンホール蓋６１の利用方法について説明すると、作業者は、図８に示すように、携帯電話２１と、ブルーツース又は赤外線等を介して携帯電話２１とデータ通信ができる携帯電話型ＩＣタグリーダー２２とを用意し、ＩＣタグ付きマンホール蓋６１のマンホール蓋本体６４表面部中央部に固着されたＩＣタグ６５に、携帯電話型ＩＣタグリーダー２２を近づけてＩＣタグ６５内のデータを携帯電話型ＩＣタグリーダー２２に読み込ませる。
【００４４】
そして、携帯電話型ＩＣタグリーダー２２が読み取ったデータを携帯電話型ＩＣタグリーダー２２から携帯電話２１に送信する。
携帯電話２１は携帯電話型ＩＣタグリーダー２２からデータを受信すると、ＩＣタグ読み取り情報を表示する。
又、ＩＣタグ読み取り情報の中のＵＲＬ７２を介して、マンホール６２に関する情報の送受信を行なうための図示省略のサーバのサイトにアクセスし、ＧＩＳ（Geographic Information System）  ＤＢ（データベース）サイトを備えたサーバのサイトからマンホール６２に関する種々の情報を取得することができる。
例えば、マンホール６２の位置を示したマンホール６２周辺の地図、マンホール６２の位置を示したマンホール６２周辺の衛星地図、マンホール６２の位置を示したマンホール６２周辺の配管地図、マンホール６２の位置、座標等、人孔・管渠情報、枡、取付管情報、管路断面図、道路埋設状況、維持管理情報等、サーバのサイトが提供する情報を取得できる。尚、複数の前記地図は、拡大・縮小地図を適宜取得することも可能である。
【００４５】
更に、前記ＩＣタグ６５に、マンホール６２に配管を介して接続される上水道メーターボックス番号８７、マンホール６２に配管を介して接続される隣接するマンホールのマンホール番号８８が格納されている場合には、マンホール６２に配管を介して接続される上水道メーターボックス、又は、マンホール６２に配管を介して接続される隣接するマンホールの情報をサーバから迅速に取得することができる。
【００４６】
更に又、サーバのサイトから入力画面を取得し、作業内容、保守・点検内容等を入力し、サーバに送信することも可能である。
【００４７】
本考案によるＩＣタグ付きマンホール蓋６１によると、前述の効果に加え、ＩＣタグ６５に格納されたマンホール６２の情報、隣接するマンホールの情報、接続される上水道メーターボックスの情報等と、それらの情報に基づくサーバの情報とを周辺のインフラ整備に利用できると共に、災害時に於いて、被害状況の把握、破損箇所等の早期発見等に役立てることができる。
例えば、災害後にＩＣタグ付きマンホール蓋６１の位置を計測器にて測定し、ＩＣタグ６５内に格納されたマンホール位置７３の情報と比較すると、差異が生じていれば、ＩＣタグ付きマンホール蓋６１の位置がずれたことを示しており、復旧の工事が必要であることを知ることができる。又、隣接するマンホールの情報、接続される上水道メーターボックスの情報として、例えば、その位置情報を取得すれば、災害後の実測値と比較して、広範囲の被災状況を把握することができ、配管の変形や、破損箇所等の早期発見も可能となる。
尚、前記携帯電話２１にＧＰＳ機能を備えることも可能であり、その場合に於いては、携帯電話２１のＧＰＳ機能によってマンホール蓋６１の位置情報を取得することができ、例えば、ＩＣタグ６５内に位置情報が格納されていない場合に、マンホール蓋６１の位置情報を確認することができると共に、その位置情報をサーバに送信することができる。又、ＩＣタグ６５内に位置情報が格納されている場合でも、前記計測器に代えて、携帯電話２１のＧＰＳ機能によってマンホール蓋６１の現在の位置情報を容易に取得することが可能となり、それによって、例えば、災害時のマンホール蓋６１の位置の変化等を迅速に取得でき、災害時の対策や、復旧のために役立てることができる。
【００４８】
図９は、図８に示した前記ＩＣタグ付きマンホール蓋６１の利用方法に於ける携帯電話（図３に於いて２１）及び携帯電話型ＩＣタグリーダー（図３に於いて２２）に代えてＩＣタグリーダー内蔵携帯電話３１を用いるものである。ＩＣタグリーダー内蔵携帯電話３１は、図９に示すＩＣタグ付きマンホール蓋６１の利用方法に於いても図８に示したＩＣタグ付きマンホール蓋６１の利用方法と同様の効果が期待でき、且つ、ＩＣタグリーダー内蔵携帯電話３１は、携帯電話（図８に於いて２１）と携帯電話型ＩＣタグリーダー（図８に於いて２２）とを組み合わせて用いる場合に比較して、携帯性、操作性で優れている。
【００４９】
又、図９に於いて２点鎖線で示すように、前記ＩＣタグリーダー内蔵携帯電話３１に代えて、ＩＣタグリーダー・ライター４１を用いることも可能である。ＩＣタグリーダー・ライター４１は、ＩＣタグの読み取り、書き込みが可能な通信機能を備えた装置であり、前記ＩＣタグリーダー内蔵携帯電話３１のＩＣタグ読み取り機能、通信機能に加えて、ＩＣタグ６５への書き込みが可能である。
即ち、ＩＣタグリーダー・ライター４１を用いて、図７に示すＩＣタグ内データの更新が可能になる。
【図面の簡単な説明】
【００５０】
【図１】（ａ）本考案によるＩＣタグ付き上水道メーターボックスの斜視図である。（ｂ）ＩＣタグの平面図である。（ｃ）ＩＣタグの正面図である。
【図２】本考案によるＩＣタグ付き上水道メーターボックスに設けられるＩＣタグ内のデータ構造図である。
【図３】携帯電話接続型ＩＣタグリーダーと携帯電話とを用いた本考案によるＩＣタグ付き上水道メーターボックスの利用方法の説明図である。
【図４】ＩＣタグリーダー内蔵携帯電話を用いた本考案によるＩＣタグ付き上水道メーターボックスの利用方法の説明図である。
【図５】本考案による他のＩＣタグ付き上水道メーターボックスの斜視図である。
【図６】（ａ）本考案によるＩＣタグ付きマンホール蓋の平面図である。（ｂ）本考案によるＩＣタグ付きマンホール蓋の正面縦断面図である。（ｃ）本考案によるＩＣタグ付きマンホール蓋の一部拡大正面縦断面図である。
【図７】本考案によるＩＣタグ付きマンホール蓋に設けられるＩＣタグ内のデータ構造図である。
【図８】携帯電話接続型ＩＣタグリーダーと携帯電話とを用いた本考案によるＩＣタグ付きマンホール蓋の利用方法の説明図である。
【図９】ＩＣタグリーダー内蔵携帯電話を用いた本考案によるＩＣタグ付きマンホール蓋の利用方法の説明図である。
【符号の説明】
【００５１】
１，５１  ＩＣタグ付き上水道メーターボックス
２，５２  上水道メーターボックス本体
２ａ，５２ａ  開口部
３，５４  蓋体
４，５５ＩＣタグ
４ａ，５５ａ  ＩＣタグ表面
５，５６  凹部
１１，８７  上水道メーターボックス番号
１２  ＵＲＬ
１３  上水道メーターの仕様
１４  上水道メーターの測定値
１５  配管の管種
１６  配管の口径
１７  配管の施工年度
１８  配管の更新年度
１９，７１  マンホール番号
６１  ＩＣタグ付きマンホール蓋
６２  マンホール
６３  地表面開口部
６５  ＩＣタグ
７２  ＵＲＬ
７３  マンホール位置
７４  マンホールの種類
７５  管番号
７６  マンホールからの水平方向の離間寸法
７７  埋設深さ
７８  配管の管種
７９  口径
８０  隣接するマンホールまでの長さ
８１  施工年度
８２  更新年度
８３  弁栓の仕様
８４  使用条件
８５  管理者情報
８６  管理情報
【図１】
0003137442.tif 000003
【図２】
0003137442.tif 000004
【図３】
0003137442.tif 000005
【図４】
0003137442.tif 000006
【図５】
0003137442.tif 000007
【図６】
0003137442.tif 000008
【図７】
0003137442.tif 000009
【図８】
0003137442.tif 000010
【図９】
0003137442.tif 000011